(57)【要約】【課題】  すかし入り紙体のすかしの確認操作を、取扱者以外の人には気付かれないように操作できるすかし表示装置に関する。【解決手段】  枠体の表面に位置した透光性薄板の裏面側には、電気発光体と、この電気発光体への通電電流を制御するスイッチ素子とを設け、この電気発光体と対向する透光性薄板の表面に光の透光部を形成しながら、その透光部の周囲に覆い板を配置している。そして、この覆い板はその全部もしくは透光部の外周全体が含まれる部分を磁性体薄板で形成し、また、不透光性の非磁性体素材で形成した筒状体の着脱面には複数個の磁石を取り付け、筒状体はこの磁石によって磁性体薄板に吸着保持できる。すかし入り紙体はすかしの部分を透光部に位置させ、筒状体と磁性体薄板との間で仮留めしてスイッチ素子に導通すると、筒状体の正面にいる人だけすかしの確認ができ、側方にいる人はすかしの確認操作に気付くことはない。【選択図】  図２
2006285927.tif 000002
【特許請求の範囲】
【請求項１】
透光性薄板１の裏面には、電気発光体２と、この電気発光体２への通電電流を制御するスイッチ素子３とを配置し、
透光性薄板１の表面には、前記電気発光体２と対向する位置に光の透光部４を形成する覆い板５を配置し、
前記覆い板５の表面には、不透光性の非磁性体素材で形成した筒状体６を着脱自在に配置し、この筒状体６の中央に前記透光部４を位置させると共に、
前記覆い板５と着脱する筒状体６の着脱面には複数個の磁石７を取り付け、かつ、前記覆い板５はその全部もしくは透光部４の外周全体が含まれる部分を磁性体薄板８で形成し、前記筒状体６は磁石７の磁力によって覆い板５との間にすかし入り紙体９を挟んで着脱自在に吸着することを特徴とするすかし表示装置。
【請求項２】
前記スイッチ素子３は磁力により開閉制御される感磁性スイッチ素子で構成し、前記筒状体６を前記磁性体薄板８に吸着する磁石７の磁力で感磁性のスイッチ素子３に導通して前記電気発光体２に点灯することを特徴とする請求項２に記載のすかし表示装置。
【請求項３】
前記磁性体薄板８は中央の透光部４の外周に位置する一個所にスリット部１０を形成し、感磁性スイッチ素子で形成したスイッチ素子３は前記スリット部１０に対向する透光性薄板１の裏面に配置されていることを特徴とする請求項２に記載のすかし表示装置。
【請求項４】
前記筒状体６の着脱面に取り付けた複数個の磁石７は等間隔に配置されており、前記磁性体薄板８は前記スリット部１０の他にも第二スリット１１を形成し、
前記筒状体６の相隣り合う磁石７が、前記スリット部１０と第二スリット１１との間の磁性体薄板８にそれぞれ各一個吸着するように、前記第二スリット１１が配置されていることを特徴とする請求項３に記載のすかし表示装置。
【請求項５】
前記前記透光性薄板１は枠体１２の表面に取り付けられており、その枠体１２内には複数個のＬＥＤ素子２ａで構成した前記電気発光体２と、前記筒状体６に取り付けた磁石７の磁力で開閉する感磁性のスイッチ素子３と、前記電気発光体２のための電池電源１３とを備え、
前記枠体１２の裏面には固定磁石１４を取り付けて、その固定磁石１４によって磁性体表面に枠体１２を吸着固定して使用する請求項２から請求項４のいずれか１項に記載のすかし表示装置。
【発明の詳細な説明】
【技術分野】
【０００１】  すかし入り紙体である、例えばお札のすかしを普通の金銭受領操作の間で確認することができるすかし表示装置に関する。
【背景技術】
【０００２】  従来、すかし入りの紙体におけるすかしの有無は、手近かな場所にある光源から発生した光をすかし入りの紙体の裏面から当てれば、誰でも簡単にその有無を確認することができる。また、大量に判定するときには光源と、この光源の上に配置した透光板とを有する装置を使い、この透光板の上にすかし入りの紙体、例えば紙幣を置いてすかしの有無を確認することができる。そして、このすかしの有無を確認する必要性は、低金額の物品の購入時の支払いが高額のお札で行われてつり銭を出すときであり、普通はレジスターの付近に光源が置かれ、この光源によって紙幣のすかしの確認が行われる。
【発明の開示】
【発明が解決しようとする課題】
【０００３】  このように、レジスターの付近に光源を置いたり、それとわかる装置を使って紙体であるお札のすかしの確認作業は、特にその行為をレジ係りが行うときには、支払われた紙幣を偽札と疑っている動作であり、また、この確認するための動作は物品の購入者にも直ぐわかるから不快な思いをする人も出てくる。また、この確認行為に対してクレームをつける人もおり、紙体に仕込まれたすかしを確認する作業が誰でも非常に簡単にできるといっても、レジ係りの金銭受領過程の操作でお札のすかしの確認をおこなうことは、それに気付かれて実際の確認作業は行いにくいものであった。
【課題を解決するための手段】
【０００４】  この発明は上記課題を解決するもので、透光性薄板１の裏面には、電気発光体２と、この電気発光体２への通電電流を制御するスイッチ素子３とを配置し、透光性薄板１の表面には、前記電気発光体２と対向する位置に光の透光部４を形成する覆い板５を配置し、前記覆い板５の表面には、不透光性の非磁性体素材で形成した筒状体６を着脱自在に配置し、この筒状体６の中央に前記透光部４を位置させると共に、前記覆い板５と着脱する筒状体６の着脱面には複数個の磁石７を取り付け、かつ、前記覆い板５はその全部もしくは透光部４の外周全体が含まれる部分を磁性体薄板８で形成し、前記筒状体６は磁石７の磁力によって覆い板５との間にすかし入り紙体９を挟んで着脱自在に吸着しており、前記電気発光体２が点灯すればすかしが確認できる。【０００５】  また、前記スイッチ素子３は磁力により開閉制御される感磁性スイッチ素子で構成し、前記筒状体６を前記磁性体薄板８に吸着する磁石７の磁力によって感磁性のスイッチ素子３に導通して前記電気発光体２に点灯するから、すかし入り紙体９を挟めば直ぐにすかしが確認できる。【０００６】  また、前記磁性体薄板８は中央の透光部４の外周に位置する一個所にスリット部１０を形成し、感磁性スイッチ素子で形成したスイッチ素子３は前記スリット部１０に対向する透光性薄板１の裏面に配置されており、前記筒状体６に取り付けた磁石７の磁力が弱くとも確実にスイッチ素子３を閉路にできる。【０００７】  また、前記筒状体６の着脱面に取り付けた複数個の磁石７は等間隔に配置されており、前記磁性体薄板８は前記スリット部１０の他にも第二スリット１１を形成し、前記筒状体６の相隣り合う磁石７が、前記スリット部１０と第二スリット１１との間の磁性体薄板８にそれぞれ各一個吸着するように、前記第二スリット１１が配置されているから、前記筒状体６に取り付けた磁石７の吸着位置の影響を受けずに確実にスイッチ素子３を閉路にできる。【０００８】  また、前記前記透光性薄板１は枠体１２の表面に取り付けられており、その枠体１２内には複数個のＬＥＤ素子２ａで構成した前記電気発光体２と、前記筒状体６に取り付けた磁石７の磁力で開閉する感磁性のスイッチ素子３と、前記電気発光体２のための電池電源１３とを備え、前記枠体１２の裏面には固定磁石１４を取り付けて、その固定磁石１４によって磁性体表面に枠体１２を吸着固定して使用できるようになったから、すかしを確認しようとする取扱者の使いやすい場所ですかし入り紙体９の確認ができるようになった。
【発明の効果】
【０００９】  この発明の電気発光体２からの光を透過する透光性薄膜１の透光部４の外周には磁性体薄膜８が取り付けてあり、一方、この透光部４が中央に位置することができる筒状体６の着脱面には複数個の磁石７を取り付けたから、すかし入り紙体９のすかし部分を透光部４に位置させながら、このすかし入り紙体９を磁性体薄膜８と筒状体６の間に挟んで保持することができるようになった。【００１０】  そして、このすかし入り紙体９を保持した状態で、スイッチ素子３に導通して前記電気発光体２から発光すれば、この光はすかし部分を透過して筒状体６の内部へ光が届き、取扱者はこの筒状体６の正面からこのすかしを確認できると共に、このすかしを透過した光は、筒状体６に邪魔されて側方にいる人からは見ることができないものである。また、筒状体６は不透光性であるから外部の光が遮断され、電気発光体の光量が弱くとも確実にすかしが確認できるようになった。【００１１】  したがって、この発明の装置を商店の金銭の受領操作を行うレジスターの付近で、この筒状体６の正面にレジ係りが位置するようにセットすれば、つり銭を要求される紙幣を受け取ったときに、この紙幣のすかし部分を透光部４に位置させながら筒状体６ですかし入り紙体（紙幣）９を挟んで前記電気発光体２を点灯すれば、紙幣のすかしの有無が直ちに確認でき、偽造紙幣でないときには、つり銭の小銭を出してレシートと一緒に物品の購入者に渡すことができる。【００１２】  この受け取ったすかし入り紙体（紙幣）９を磁石７のついた筒状体６を使って保持しながらレジスターを操作する動作は、特に違和感のある動作はなく、ごくありふれた金銭受領操作であり、また、前記電気発光体２の光はつり銭やレシートを受領する物品の購入者からは筒状体６に遮られて見ることはできず、この物品の購入者はレジ係りがすかし入り紙体（紙幣）９の確認動作を行っているとは気が付かず、レジ係りとの間で気まずい雰囲気やトラブルの発生を防ぐことができ、また、使用された紙幣が偽造されたものであれば直ぐに発見できるという効果が得られた。一般に、偽造されたお札の使用目的はつり銭を横領することにあるから、複数枚同時に使われることは稀であり、また、真券と同時に使えば手触りでその違いに気付かれやすいので、このような危険な使用法は行われない。このため、偽造紙幣は一枚使用がほとんどであるからレジ係りが確実に発見できるようになった。また、２〜３枚程度であればすかしの有無やすかしの数は確認できるので、すかしのない紙幣を見つけることができる。【００１３】  更に、この発明の前記電気発光体２に通電するためのスイッチ素子３として、感磁性スイッチ素子３で形成し、このスイッチ素子３を透光部４の外側の磁性体薄板８に接近する透光性薄板１の裏面に取り付けたから、筒状体６を吸着する磁石７によって磁性体薄板８が磁化された時の磁力線は、透光性薄板１の裏面まで届いて前記感磁性のスイッチ素子３が閉路となる。このため、すかし入り紙体９を挟んで筒状体６を磁性体薄板８に吸着させると、同時に前記スイッチ素子３が閉路となるので、直ちに電気発光体２は点灯するから特別なスイッチ素子３を閉路とする動作は不要であり、これはレジ係りが受け取った紙��を仮止めする動作だけであるので不自然さはなく、すかしの確認動作が行われていることに気付かれにくくなった。【００１４】  更に、この発明の筒状体６が吸着する磁性体薄板８は透光部４の外周に位置する一個所にスリット部１０を設け、前記感磁性スイッチ素子３を前記スリット部１０に対向する透光性薄板１の裏面に取り付けたから、筒状体６の磁石７が吸着して磁性体薄板８が磁化された時の磁力線はスリット部１０の磁気抵抗が大となり、この部分では散乱した磁力線が透光性薄板１の裏面まで容易に届き、弱い磁力の磁石７を使っていてもスイッチ素子３を確実に閉路とすることができた。【００１５】  また、前記筒状体６の着脱面に等間隔に取り付けた複数個の磁石７は、隣接する２個の磁石７が前記磁性体薄板８のスリット部１０を挟んだ両側の磁性体薄板８に吸着するが、その吸着位置によっては磁化された磁性体薄板８の磁気は、この磁性体薄板８のスリット部１０のない反対側に磁力線が迂回して誘導され、磁石７の吸着力が弱いときには感磁性スイッチ素子３が閉路にならないときがあった。
この発明の実施例では、スリット部１０とは別に第二スリット１１を前記磁性体薄板８に形成し、筒状体６の隣り合う磁石７がスリット部１０と第二スリット１１との間の磁性体薄板８の部分に、それぞれ各一個吸着するようになったから、磁化された磁性体薄板８の磁気は第二スリット１１によって迂回方向は大きな磁気抵抗となっているから、スリット部１０を通過する磁力線が多くなって確実にスイッチ素子３を閉路にすることができるようになった。【００１６】  また、図に示す実施例では、前記透光性薄板１は枠体１２の表面に位置しており、この枠体１２内にスイッチ素子３と、複数個のＬＥＤ素子２ａで構成した電気発光体２と、電池電源１３とを配置すると共に、この枠体１２の裏面には固定磁石１４を取り付けたから、金属製のレジスターなどの磁性体の表面にこの枠体１２が固定磁石１４によって吸着固定できるようなり、現在使用中のレジスターの適所でレジ係りから良く見える場所に本願発明装置が簡単に取り付けできるので使い勝手が良くなった。
【発明を実施するための最良の形態】
【００１７】  以下、本発明の実施の形態について図面を参照して説明する。
図１はすかし入り紙体（紙幣）の確認状態を示す斜視図、図２はその断面図であって、１２は本願発明装置を組み込む枠体、１はこの枠体１２の表面の少なくとも一部を覆うように設置するガラスや透明樹脂で形成した透光性薄板、２はこの透光性薄板１の裏面の枠体１２内に配置した電気発光体、３はこの枠体１２内に配置して前記電気発光体２を点灯・消灯するスイッチ素子である。５は前記透光性薄板１の表面や枠体１２の表面を覆うように配置した覆い板、４は前記電気発光体２と対向する位置の透光性薄板１から光が透過する面積やその形状を特定する透光部であり、この透光部４は前記覆い板５が不透光板材で構成されているときには板材からなる覆い板５を切り抜いた丸孔などで形成している。また、この覆い板５は所定形状の透光部４を残した外周に不透光性の塗料を付着させた塗料膜で形成しても良い。いずれにしても、この覆い板５は枠体１２内の電気発光体２の光を所定形状の透光部４から透過させる働きがあればよく、透光部４以外からの光の漏洩を防いでいる。【００１８】  ６は前記透光部４の上に配置する筒状に形成された筒状体、６ａはこの筒状体６に形成された中央孔であり、この筒状体６は筒状の中央孔６ａが形成されておれば外形形状が円筒状に限定されるべきではなく、テーパー状や半球状でもよい。また、筒状体６はその全体またはその外表面や内表面などが不透光体によって形成されており、この筒状体６を前記透光性薄板１の上に配置したときに、透光部４の外周よりも筒状体６の装着面を大きくしてこの不透光体によって光が直接筒状体６の外方から見えないようになっており、透光部４の光は筒状体６の内側の中央孔６ａからのみ見ることができるようになっている。
したがって、内面の中央孔６ａが貫通する筒状に形成されておればその外面に各種の掘り込み細工を施したものでも動作上は全く問題がない。また、この中央孔６ａはこの部分から光が透過できればよいから、その内部が実質的に空洞になっているものだけに限定されるのではなく、光にとって空洞と同一視できる透明な棒状の樹脂でも同じ効果が得られており、透明の棒状樹脂の外周に不透光性部分が配置されておれば、この不透光性部分が前記筒状体６の働きをすることになる。【００１９】  ８は覆い板５の全部もしくは透光性薄板１の透光部４の外周全体が含まれる部分に配置した磁性体薄板であり、前記覆い板５が鉄系金属板からなる磁性を持つ薄板で形成されている時には、この磁性体薄板８と覆い板５とを兼用させることができる。また、前記覆い板５が塗料の薄膜や合成樹脂の薄板で形成しているときには、この覆い板５は磁性体ではないから、前記透光部４の外周に位置してリング状の鉄系金属板を貼り付けるなどして磁性体薄板８を配置することになる。【００２０】  ７は前記透光部４の上に筒状体６を配置して保持するために筒状体６の着脱面に複数個取り付けた磁石であり、前記筒状体６は非磁性体素材で構成してこの複数個の磁石７の磁力によって前記透光部４の外周に取り付けられた覆い板５を構成する磁性体薄板８に吸着することができ、このとき、前記透光部４のある面が傾斜面であっても、正しく筒状体６は中央孔６ａを透光部４に位置させて吸着保持することができる。９はすかし入り紙体であって、この代表である紙幣は透光部４の上にすかしが位置した状態で、磁性体薄板８と筒状体６とによって狭着して固定しておくことができ、この状態で前記スイッチ素子３を閉路とすれば電気発光体２が発光し、この電気発光体２の光は筒状体６で固定された透かし入り紙体９のすかし部分を透過し、このすかしは前記筒状体６の中央孔６ａを介して取扱者が確認することができる。【００２１】  そして、この透光部４からの光によって透過されたすかし入り紙体９のすかしは、前記筒状体６が不透光性状となっているからこの筒状体６の中央孔６ａからのみ見ることができ、中央孔６ａの正面にいない側方にいる人はこのすかしを見ることができず、また、すかしの確認が行われていることに気が付くことはない。
このため、商店などで金銭受領の操作をするときに、この発明の装置をレジスターの付近に設置し、筒状体６の中央孔６ａがレジ係りだけに向くように透光部４の面を配置しておけば、物品の購入者から受け取った高額の紙幣を磁性体薄板８と筒状体６の間に狭着して、つり銭を用意しながら前記スイッチ素子３を閉路とすれば、すかし入り紙体（紙幣）９のすかしが確認でき、万一受け取った紙幣が偽造紙幣の時には物品の購入者に気付かれずに他の人と連絡をとって対応することができるようになった。【００２２】  一方、図に示す実施例は、このスイッチ素子３を閉路とする動作がすかし入り紙体９を磁性体薄板８と筒状体６の磁石７によって狭着するときに自動的に行なわれる構造を開示しており、前記スイッチ素子３は磁力により接点が開閉されるリードスイッチと呼ばれる感磁性のスイッチ素子で構成し、この感磁性スイッチ素子３を前記磁性体薄板８の裏面である透光性薄板１の裏面に配置している。このため、前記筒状体６に取り付けた磁石７が間隔を置いて複数個設置してあっても、この磁石７が吸着した磁性体薄板８の全体が磁石の働きをするようになるから、この裏面に配置した感磁性スイッチ素子３は磁性体薄板８が磁性を持ったときにこの磁力線に反応して接点を閉ざし、磁性体薄板８と筒状体６との間にすかし入り紙体９を挟着すれば直ちに前記電気発光体２が点灯するようになり、スイッチ素子３を単独で操作する必要はなく、取扱いが非常にシンプルとなった。【００２３】  ところで、この感磁性のスイッチ素子３の接点が切り替わる仕組みは、前記磁石７が吸着した磁性体薄板８は磁化されて磁力線が隣り合う磁石７の間の磁性体薄板８の中を流れると共に、この磁化された磁性体薄板８から磁力線が漏れ出ており、前記感磁性スイッチ素子３はこの漏れ出た磁力線で接点を切り替えしている。このためには使用する磁石７の磁力線が強いほうが好ましいが、この磁石７が強力であると前記筒状体６と磁性体薄板８との間に挟んだすかし入り紙体９を取り外す操作に大きな力が必要になって取扱いが面倒になる。そして、取扱い易くするには磁石７の吸着力を弱くしたいが、この磁石７の吸着力を弱くすると吸着した筒状体６の磁石７の位置によっては、前記感磁性スイッチ素子３を閉路とする磁力線が得られなくなってしまうことがある。【００２４】  実施例を示す図３は新たにこの問題を解決するために前記磁性体薄板８の形状を特定したものであり、１０は磁性体薄板８の透光部４の外周に位置する一個所に形成したスリット部であり、磁性体薄板８はこのスリット部１０によって分割、もしくは、スリット部１０に設けた小さな接続部だけで連続するように構成している。また、このスリット部１０に対向する透光性薄板１の裏面に前記感磁性スイッチ素子３を配置している。
この構造では吸着した磁石７によって磁性体薄板８が磁化されたとき、隣り合う磁石７の間の磁力線が磁性体薄板８の中を流れようとすると、この二つの磁石７の間に前記スリット部１０があるから、この部分は磁力線にとって大きな磁気抵抗となり、磁性体薄板８を磁化した磁力線は磁気抵抗が大きいこのスリット部１０で散乱して透光性薄板８の裏面まで磁力線が届くようになる。このため、弱い磁力の磁石７を使っていても前記感磁性スイッチ素子３は確実に接点を閉路とすることができるようになり、前記筒状体６と磁性体薄板８との間に挟み込んだすかし入り紙体９は簡単に取り外すことができた。【００２５】  また、図３に示す実施例において、１１は等間隔に配置した複数個の磁石７のうちで磁性体薄板８に吸着する隣り合う磁石７の間に設けたスリット部１０の他に形成した第二スリットであり、この第二スリット１１の設置位置は、この第二スリット１１と前記スリット部１０との間の磁性体薄板８に筒状体６の相隣り合う磁石７が各一個吸着するようになっている。【００２６】  このため、磁石７によって磁化した磁性体薄板８の第二スリット１１も磁力線にとっては大きな磁気抵抗となっているから、上記の実施例のようにスリット部１０だけのときには、磁石７の取り付け位置によってはスリット部１０の磁気抵抗部分を迂回して逆方向に多くの磁力線が流れてスリット部１０で散乱する磁力線が少なくなる場合があったが、この迂回方向にも第二スリット１１があるあるから、スリット部１０を挟んで隣り合う磁石７の磁力線は感磁性スイッチ素子３を裏面に設けた磁気抵抗が大きなスリット部１０を通過するようになり、前記筒状体６に取り付けた磁石７の吸着位置の影響を受けずに確実にスイッチ素子３を閉路にすることができるようになった。【００２７】  一方、この発明となるすかし表示装置は別の目的の枠体、たとえばレジスターの枠体の中に構成しても良いが、取り扱いやすくするためには専用の枠体１２の中に組み込まれることが好ましい。図に示す実施例は薄形の専用の枠体１２の中にすかし表示装置が組み込まれており、図２に枠体１２の縦断面、図４に枠体１２の横断面を表している。１４はこの薄形枠体１２の四隅の裏面に取り付けた固定磁石であり、前記枠体１２はこの固定磁石１４によって鉄系の鋼板などで構成する装置の表面に吸着固定することができる。また、すかし表示装置を取り付けたい装置が非磁性体である合成樹脂の樹脂加工品であれば、表面に鉄板を両面接着テープなどで密着することにより、この鉄板を使ってこの発明品のすかし表示装置を取り付けることができる。【００２８】  このため、すかし入り紙体９のすかしが確認しやすい位置にこの発明品が取り付けできるようになり、すかしを確認しようとする取扱者の使いやすい場所ですかし入り紙体９の確認ができるようになったから、金銭受領の操作が行なわれるレジスターの付近のレジ係りが立った位置からこの透光部４が良く見える場所に本願発明装置を取り付けることができ、レジ係りが受け取った紙幣を仮止めしながら、おつりとレシートを手渡す過程で、すかし入り紙体（紙幣）９のすかしの確認動作が行なわれ、このすかしの確認動作は物品の購入者には気付かれることはなく、トラ���ルに発展するおそれはほとんどなくなった。【００２９】  また、図に示す実施例の枠体１２はベース板１２ａと上板１２ｂの２枚の薄板を接着して構成され、この枠体１２の中には電源部も組み込まれており、１３はコイン型の電池電源、１５はこの電池電源を装着するための引き出し型のトレイ、１６は前記ベース板１２ａに設けられて前記トレイ１５が出し入れできる電池収納部であり、この電池収容部１６の上面はベース板１２ａの上に密着した上板１２ｂが位置しており、前記枠体１２の側方から薄形のコイン型の電池電源１３を載せたトレイ１５を、枠体１２電池収納部１６に差し込むことで電源部の装着が完了する。１７はこの電池収納部１７に先端を位置させた電池電源１３の電極と接触する接点板であり、この接点板１７はベース板１２ａと上板１２ｂとを密着するときにその間に挟まれて固定されている。【００３０】  また、２ａは前記電気発光体２を構成するための複数個のＬＥＤ素子、１８はこのＬＥＤ素子２ａを取り付けたＬＥＤ基板、１９は前記ベース板１２ａに形成した円形の凹部であり、この凹部１９内にＬＥＤ素子２ａを備えたＬＥＤ基板１８が配置されている。前記感磁性スイッチ素子３はベース板１２ａと上板１２ｂとの間に挟まれて固定されており、また、前記電池電源１３の接点板１７と感磁性スイッチ素子３とＬＥＤ素子２ａを取り付けたＬＥＤ基板１８との間の配線２０も、ベース板１２ａと上板１２ｂとの間に挟まれて固定されている。【００３１】  また、このベース板１２ａの上に密着する上板１２ｂは、前記感磁性スイッチ素子３とＬＥＤ基板１８の部分が開口しており、この開口部分を覆うように前記透光性薄板１が枠体１２の表面に埋め込まれて枠体１２の表面全体が均一な平面を形成し、この透光性薄板１や上板１２ｂの表面に前記覆い板５を構成する磁性体薄板８が密着して取り付けられている。そして、この磁性体薄板８に筒状体６の磁石７が吸着すれば、磁性体薄板８の直ぐ裏側に感磁性スイッチ素子３が位置するから、このスイッチ素子３は閉路となって複数個のＬＥＤ素子２ａを点灯させることができた。【００３２】  以上のように、この実施例では予め部品の配置位置が決められた薄板厚のベース板１２ａの上に各部品を配置し、その上から薄板厚の上板１２ｂを密着し、この上板１２ｂに透光性薄板１と磁性体薄板８を密着する工程によって、枠体１２が完成するものであり、この枠体１２の組み立ては簡単で、取扱者に安価に提供できるようになった。【００３３】  実施例を示す図５は筒状体６の他の実施例を示しており、この実施例の筒状体６は薄板厚の筒体で形成されており、薄板であるから磁性体薄板８に吸着する磁石７を直接取り付けることは困難である。２１は合成樹脂で形成した透明円盤であり、この透明円盤２１の外縁に前記筒状体６が立設している。そして、この筒状体６に取り付けた透明円盤２１には前記磁石７が取り付けられており、薄板の筒状体６はこの透明円盤２１を利用することで磁石７の取り付けが可能となった。また、この透明円盤２１は前記透光性薄板１と同様に電気発光体２の光を透過することができ、筒状体６と透明円盤２１が前記磁性体薄板８との間にすかし入り紙体９を挟んだときには、この透明円盤２１がない時と同様に電気発光体２の光ですかしを確認することができる。また、透明円盤２１の下面全体ですかし入り紙体９を透光性薄板１に押し付けながら挟むから、このすかし入り紙体９に皺や強い折り目があっても平らに伸ばすことができ、このように凸凹のあるすかし入り紙体９でもすかしの確認が行いやすくなった。【００３４】  また、図５に示す実施例において、２２は筒状体６の上部の開口部分を閉ざす透明蓋であり、この透明蓋２２の存在はこの筒状体６の側方にいる人にもわかり、この筒状体６はこの側方にいる人には穴のある筒体とは理解されず、穴のないひとつの塊として認識されるようになる。もし筒体であれば側方にいる人はこの中央の穴に気がつき、あの穴は何だろうとの疑問を持たれる恐れがあったが、この実施例では磁石７のついたひとつの塊としての認識となるから、この物体の中に透光部が形成されて、さらに、この磁石７のついたこの物体によって、挟まれた透かし入り紙体９のすかしを確認するものであるとは気付かれることはない。このため、レジスターの付近でレジ係りがすかし入り紙体（紙幣）９の確認を物品の購入者に気兼ねなく行うことができるようになった。また、図５の実施例の変形として、透明円盤２１と透明蓋２２とが一体で構成され、内部に空洞のない全体が透明体で形成されるときにも、これらの効果を得ることができるようになる。
【図面の簡単な説明】
【００３５】
【図１】この発明の実施例の使用中の斜視図である。
【図２】図１の実施例の使用中の状態を示す縦断面図である。
【図３】この発明を構成する部品である枠体の実施例を示す平面図である。
【図４】図３の実施例における枠体の横断面図である。
【図５】この発明を構成する部品である筒状体の他の実施例を示す縦断面図である。
【符号の説明】
【００３６】  １    透光性薄板
２    電気発光体
２ａ  ＬＥＤ素子
３    スイッチ素子
４    透光部
５    覆い板
６    筒状体
７    磁石
８    磁性体薄板
９    すかし入り紙体
１０    スリット部
１１    第二スリット
１２    枠体
１３    電池電源
１４    固定磁石
【図１】
2006285927.tif 000003
【図２】
2006285927.tif 000004
【図３】
2006285927.tif 000005
【図４】
2006285927.tif 000006
【図５】
2006285927.tif 000007